(57)【要約】【課題】キャップを装着する非使用時の気密性を確保しながらさらなる改善を図ったスティック糊の容器を提供する。【解決手段】円形状でない糊導出口４２を有した容器本体４と、容器本体４の糊充填空間４１が外部に連通するのを気密に遮断する閉止状態及び糊を外部に導出可能な開放状態をとり得る開閉機構５とを具備し、開閉機構５が、容器本体４に設けられたキャップ取付筒５１と、このキャップ取付筒５１に外側から着脱可能に嵌合するキャップ５２とを備え、キャップ取付筒５１の外側の円形状をなす嵌合部５１２にキャップ５２が嵌合するかまたはキャップ５２の内側の円形状をなす嵌合部５２３にキャップ取付筒５１が嵌合し、キャップ取付筒５１が、その先端部に容器本体４と接続される頂壁５１５を有するとともに、内周面５１７を基端方向に開放された隙間５１６を介して容器本体４に対面させたものであるスティック糊の容器２を構成した。【選択図】図６
2020059177.tif 000002
【特許請求の範囲】
【請求項１】
内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、
前記開閉機構が、前記容器本体に設けられたキャップ取付筒と、このキャップ取付筒に外側から着脱可能に嵌合するキャップとを備え、キャップ取付筒の外側の円形状をなす嵌合部にキャップが嵌合するかまたはキャップの内側の円形状をなす嵌合部にキャップ取付筒が嵌合し、
前記キャップ取付筒が、その先端部に前記容器本体と接続される頂壁を有するとともに、内周面の少なくとも一部を先端とは反対側の基端方向に開放された隙間を介して容器本体に対面させたものであるスティック糊の容器。
【請求項２】
前記キャップ取付筒が、前記頂壁から基端方向に、前記容器本体における前記糊を塗布する操作を行う使用者の母指または示指の指先が触れ得る把持部分の先端領域まで延出している請求項１記載のスティック糊の容器。
【請求項３】
前記キャップ取付筒の延出端と前記把持部分の先端領域とが前記隙間の開口部を介して離間しているとともに、
横断面視において前記把持部分の外側辺が前記糊導出口の内側辺と平行または略平行となっている請求項２記載のスティック糊の容器。
【請求項４】
前記キャップ取付筒が、前記頂壁から基端方向に前記容器本体の基端領域まで延出しており、当該キャップ取付筒に前記糊を塗布する操作を行う使用者の母指と示指との間の指間部が触れ得る請求項１記載のスティック糊の容器。
【請求項５】
前記キャップ取付筒が円筒状の外周をなす請求項４記載のスティック糊の容器。
【請求項６】
前記キャップ取付筒の外径が先端方向に徐々に縮小し、前記キャップの内径が同方向に徐々に縮小する請求項１記載のスティック糊の容器。
【発明の詳細な説明】
【技術分野】
【０００１】
本発明は、内部に棒状の糊が充填されるスティック糊の容器に関する。
【背景技術】
【０００２】
紙等を貼着または接着するために用いられる固形の糊を細長い容器に収容し、これを少量ずつ繰り出すことのできるスティック糊が周知である。
【０００３】
従来のスティック糊は、容器の先端に開設された円形状の糊導出口から円柱状の糊が現れるものであった。そのようなスティック糊では、例えば、四角形状の用紙の周囲に糊を塗布しようとするときに、当該用紙の縁や角の部分に糊をはみ出さないよう綺麗に塗ることが容易でない。それ故、容器の先端に開設された四角形状の糊導出口から四角柱状の糊が現れる態様のスティック糊が開発されるようになった。
【０００４】
一方、四角柱形のスティック糊において、非使用時に装着するキャップ及び当該キャップが外嵌されるキャップ取付筒がそれぞれ角形筒状をなしていると、キャップ及びキャップ取付筒が円筒状をなす従前のスティック糊と比較して気密性が低下する不利が生ずる。角形筒状をなすキャップとキャップ取付筒とは、その隅角部では互いに密着してしっかりと嵌合されていても、それ以外の側辺部では密着しにくく、全体として高い気密性を保つことが難しい。そして、非使用時の気密性が損なわれると、容器内の糊が早期に劣化して使用可能期間が短くなったり、キャップの内周またはキャップ取付筒の外周に乾燥した糊が固着してキャップの着脱に支障を来したりする等の問題を招来する。
【０００５】
そこで、容器の先端の糊導出口を非円形の角形状に成形しつつ、容器の先端に向かって開放した隙間を介して糊導出口よりも径が拡大した円筒状のキャップ取付筒を外側に形成することにより、円筒状をなすキャップをそのキャップ取付筒に嵌合できる構造とすることが考案された（以上、下記特許文献１を参照）。
【先行技術文献】
【特許文献】
【０００６】
【特許文献１】特許第５９２８６６３号公報
【発明の概要】
【発明が解決しようとする課題】
【０００７】
本発明は、キャップを装着する非使用時の気密性を確保しながらさらなる改善を図ったスティック糊の容器を提供することを所期の目的とする。
【課題を解決するための手段】
【０００８】
本発明では、内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、前記開閉機構が、前記容器本体に設けられたキャップ取付筒と、このキャップ取付筒に外側から着脱可能に嵌合するキャップとを備え、キャップ取付筒の外側の円形状をなす嵌合部にキャップが嵌合するかまたはキャップの内側の円形状をなす嵌合部にキャップ取付筒が嵌合し、前記キャップ取付筒が、その先端部に前記容器本体と接続される頂壁を有するとともに、内周面の少なくとも一部を先端とは反対側の基端方向に開放された隙間を介して容器本体に対面させたものであるスティック糊の容器を構成した。
【０００９】
ここで、「円形状」とは、中心からの距離が一定の真円のみならず、例えば真円に近い楕円等、中心からの距離が完全に一定ではない誤差を含んだ形状をも包含する概念である。
【００１０】
前記キャップ取付筒が、前記頂壁から基端方向に、前記容器本体における前記糊を塗布する操作を行う使用者の母指または示指の指先が触れ得る把持部分の先端領域まで延出することがある。その場合、前記キャップ取付筒の延出端と前記把持部分の先端領域とが前記隙間の開口部を介して離間しており、横断面視において前記把持部分の外側辺が前記糊導出口の内側辺と平行または略平行となっている形状とすることができる。
【００１１】
あるいは、前記キャップ取付筒が、前記頂壁から基端方向に前記容器本体の基端領域まで延出しており、当該キャップ取付筒に前記糊を塗布する操作を行う使用者の母指と示指との間の指間部が触れ得る態様をとることもできる。この場合の前記キャップ取付筒は、円筒状の外周をなすことがある。
【００１２】
また、前記キャップ取付筒の外径が先端方向に徐々に縮小し、前記キャップの内径が同方向に徐々に縮小する形状とすることも考えられる。
【発明の効果】
【００１３】
本発明によれば、キャップを装着する非使用時の気密性を確保しながらさらなる改善を図ったスティック糊の容器が実現される。
【図面の簡単な説明】
【００１４】
【図１】本発明の一実施形態のスティック糊及びその容器の斜視図。
【図２】同実施形態のスティック糊及びその容器の要部を拡大して示す斜視図。
【図３】同実施形態のスティック糊の容器を破断し要部を拡大して示す斜視図。
【図４】同実施形態のスティック糊の容器を破断して示す斜視図。
【図５】同実施形態のスティック糊の容器の分解斜視図。
【図６】同実施形態のスティック糊の容器の要部を拡大して示す縦断面図。
【図７】同実施形態のスティック糊の容器のＡ−Ａ線端面図。
【図８】同実施形態のスティック糊の容器のＢ−Ｂ線端面図。
【図９】同実施形態のスティック糊の容器のＣ−Ｃ線端面図。
【図１０】本発明の変形例の一に係るスティック糊及びその容器の斜視図。
【図１１】同変形例のスティック糊の容器を破断して示す斜視図。
【図１２】同変形例のスティック糊の容器の分解斜視図。
【図１３】同変形例のスティック糊の容器の要部を拡大して示す縦断面図。
【図１４】本発明の変形例の一に係るスティック糊の容器の要部を拡大して示す縦断面図。
【図１５】本発明の変形例の一に係るスティック糊の容器の要部を拡大して示す縦断面図。
【発明を実施するための形態】
【００１５】
本発明の一実施形態を、図面を参照して説明する。図１ないし図９に、本実施形態のスティック糊１及びその容器２を示す。スティック糊１は、容器２内に固形の棒状の糊３を充填または収容してなり、その糊３を容器２の糊導出口から少量ずつ繰り出して使用することのできるものである。本実施形態のスティック糊１の容器２は、内部に糊３が充填される糊充填空間４１を有するとともに先端（または、前端、頂端、上端）に糊３を外部に導出させるための真円でない糊導出口４２を有した容器本体４と、この容器本体４の糊充填空間４１が外部に連通するのを気密に遮断する閉止状態及び糊３を外部に導出可能な開放状態を選択的にとり得る開閉機構５と、糊３を糊導出口４２から漸次導出させるための糊押出機構６とを具備する。
【００１６】
図３ないし図９に示すように、容器本体４は、糊充填空間４１を内包しかつ糊充填空間４１を外部に連通させる糊導出口４２を先端に開設した管状体である糊充填部４３と、この糊充填部４３の外側を取り巻き使用者が把持するための把持部分４４１を有したボディ４４とを備える。本実施形態では、糊充填部４３とボディ４４とを、例えば合成樹脂または硬質樹脂により一体成形している。但し、糊３が消費された後に新たな糊３を装填することのできる詰め替えタイプのスティック糊１にあっては、糊充填部４３を交換用のリフィル（の少なくとも一部）としてボディ４４に対して脱着できることがある。
【００１７】
本実施形態における糊３は、角柱状、特に四角柱状をなす。従って、糊導出口４２に至る糊充填部４３の内周面４３１は、糊３の外周形状に合致するような角形筒状、特に四角筒状に形成してある。なお、この内周面４３１には、後述するレール４３３を突出させて設けている。糊充填部４３の先端の筒状部分４３２は、ボディ４４の先端よりも先方に突き出し、その先端に糊導出口４２が開口している。
【００１８】
ボディ４４は、糊充填部４３の先端筒状部分４３２以外の部分を抱持するもので、その外周４４１が糊３の外周の形状または糊充填部４３の内周４３１の形状に相似した角筒状、特に四角筒状をなしている。換言すれば、図７ないし図９に示すように、糊３及び容器２が伸長する方向と平行な軸線と直交する面で切った横断面視において、ボディ４４の外側辺である四辺４４２が、糊充填部４３及び糊導出口４２の内側辺（さらには、糊３の外側辺）である四辺４２１と平行または略平行となっている。尤も、ボディ４４の外周４４１の隅角部、即ち辺４４２と辺４４２とが交わる四隅は丸面取りしてある。このボディ４４の外周４４１は、スティック糊１を使用して糊３を塗布しようとする使用者が把持することのできる把持部分として機能する。
【００１９】
糊充填部４３及びボディ４４の基端（または、後端、底端、下端）部には、糊充填空間４１を基端側から閉塞する底壁４５を一体成形している。底壁４５の中心部には、当該底壁４５を貫通する軸孔４５１を穿ってある。軸孔４５１は、後述する糊押出機構６に係わる。
【００２０】
本実施形態のスティック糊１の容器２の開閉機構５は、容器本体４の先端側に設けたキャップ取付筒５１と、このキャップ取付筒５１に外側から嵌合することで装着されて容器本体４の糊導出口４２を被覆するキャップ５２とを要素とする。
【００２１】
キャップ取付筒５１は、外周面５１１、５１４が円形状をなす、比較的厚みの薄い短尺な筒状体である。キャップ取付筒５１は、隙間５１６を介して容器本体４の外周４４１を包囲しながら、径方向に沿って内方に突き出した頂壁５１５を介して容器本体４の外周４４１に接合している。より具体的には、頂壁５１５が、キャップ取付筒５１における容器２の先端側にある部位と、ボディ４４の先端または糊充填部４３の先端筒状部分４３２の基端の近傍の部位とを連接している。本実施形態では、キャップ取付筒５１とボディ４４とを、例えば合成樹脂または硬質樹脂により一体成形する。同時に、キャップ取付筒５１は糊充填部４３（の先端筒状部分４３２）とも一体化しているが、既に述べたような詰め替えタイプのスティック糊１にあっては、糊充填部４３とキャップ取付筒５１とが分離することがあり得る。
【００２２】
キャップ取付筒５１及び頂壁５１５は、容器本体４の糊導出口４２よりも容器２の基端側に偏倚している。即ち、糊導出口４２は、キャップ取付筒５１の基部及び頂壁５１５よりも先方に位置する。
【００２３】
キャップ取付筒５１は、頂壁５１５から軸線と平行または略平行に容器２の基端方向に延出しており、その内周面５１７が隙間５１６を介して容器本体４のボディ４４の外周面４４１と対面している。キャップ取付筒５１の頂壁５１５と反対側の基端は、容器本体４を把持して糊３を塗布する使用者の母指または示指の指先が触れ得る把持部分４４１の先端領域に臨む。このキャップ取付筒５１の延出端と、把持部分４４１の先端領域とは、上記の隙間５１６の開口部を介して離間している。つまり、キャップ取付筒５１の内周５１７と容器本体４のボディ４４の外周４４１との間に介在する隙間５１６は、容器２の基端方向に開放している。
【００２４】
翻って、キャップ取付筒５１の基部は頂壁５１５により容器本体４の外周４４１に連接し、その頂壁５１５が隙間５１６を先端側から閉塞することから、隙間５１６は容器２の先端方向には開放していない。隙間５１６の径方向に沿った幅、換言すればキャップ取付筒５１の内周５１７とボディ４４の外周４４１との径方向に沿った離間距離は、頂壁５１５に接合するキャップ取付筒５１の基部から把持部分４４１に臨むキャップ取付筒５１の延出端に向かって徐々に拡開する。
【００２５】
なお、図７ないし図９に示しているように、キャップ取付筒５１の内周５１７は、容器本体４のボディ４４の外周４４１の隅角部即ち四隅に内接し、それら四隅においてボディ４４と一体化している。このため、隙間５１６は、ボディ４４の四隅により分断されている。
【００２６】
キャップ５２は、中空の円筒状をなす周壁５２１の先端部を頂版５２４により閉塞した形状をなしており、その周壁５２１の内周５２２をキャップ取付筒５１の外周５１１に嵌合させるようにして、キャップ取付筒５１に対し着脱自在に装着することができる。キャップ５２は、例えば合成樹脂または硬質樹脂により一体成形する。
【００２７】
スティック糊１を使用しないときには、図１、図４、図６ないし図８に示すように、キャップ５２をキャップ取付筒５１に外嵌して装着、キャップ５２の内に容器本体４の先端筒状部分４３２及び糊導出口４２を収容し、キャップ５２によりこれらを被覆して外部から遮蔽する閉止状態とする。スティック糊１を使用するときには、図２及び図３に示すように、キャップ５２をキャップ取付筒５１から脱離させ、容器本体４の先端筒状部分４３２及び糊導出口４２を露出させた開放状態とすればよいことは言うまでもない。頂版５２４の外周縁は、若干ながら周壁５２１の外周よりも径方向に沿って外側方に迫り出している。
【００２８】
キャップ取付筒５１は、その外周５１１に軸線方向から見て円形状の嵌合部５１２を有している。より具体的には、円筒状または略円筒状の外周面５１１の所定部位から径方向に沿って外側方に突出し周方向に沿って一周連続したリブ５１２を成形しており、このリブ５１２が嵌合部としてキャップ５２の円筒状または略円筒状の内周面５２２の所定部位に密接することで、当該嵌合部５１２がキャップ５２の円形状の内周５２２に緊密に嵌合する。リブ５１２の断面の外縁は、糊３及び容器２が伸長する方向と平行な軸線と重なる面で切った縦断面視において、円弧状または楕円弧状をなす。
【００２９】
キャップ５２もまた、その内周５２２に軸線方向から見て円形状の嵌合５２３を有している。より具体的には、円筒状または略円筒状の内周面５２２の所定部位から径方向に沿って内側方に突出し周方向に沿って一周連続したリブ５２３を成形しており、このリブ５２３が嵌合部としてキャップ取付筒５１の円筒状または略円筒状の外周面５１１の所定部位に密接することで、当該嵌合部５２３がキャップ取付筒５１の円形状の外周５１１に緊密に嵌合する。リブ５２３の断面の外縁は、縦断面視において円弧状または楕円弧状をなす。
【００３０】
図１、図４、図６ないし図８に示す閉止状態では、キャップ５２のリブ５２３がキャップ取付筒５１のリブ５１２よりも容器２の基端側に所在する。即ち、キャップ５２をキャップ取付筒５１に装着する過程で、キャップ５２のリブ５２３がキャップ取付筒５１に対し容器２の先端側から基端側に向かって相対的に変位し、キャップ取付筒５１の弾性変形を伴いながらキャップ取付筒５１のリブ５１２を乗り越える。容器本体４の糊導出口４２は、これらのリブ５１２、５２３さらにはキャップ取付筒５１の基部よりも先方に配されている。
【００３１】
キャップ取付筒５１の基部から延出端に向かう部位の外周５１１は、他の部位と比較して当該部位の肉厚を薄くするように、先端側から切り欠いてある。この切欠５１０は、周方向に沿って一周連続している。キャップ５２を装着した閉止状態では、キャップ５２の周壁５２１の端縁部がこの切欠５１０の内に収まる。そして、キャップ５２の周壁５２１の端面５２５が、切欠５１０の容器２の先端方向を向く端面５１３に当接または極近接する。キャップ５２のリブ５２３は、キャップ５２の端縁部の内周面５２２、キャップ取付筒５１に形成した切欠５１０の外周面５１１に面する位置から膨出している。キャップ取付筒５１のリブ５１２は、キャップ取付筒５１の切欠５１０の外周面５１１、キャップ５２の端縁部の内周面５２２に面する位置から膨出している。また、閉止状態では、キャップ５２の周壁５２１の外周５２６と、キャップ取付筒５１における切欠５１０よりも容器２の基端側にある部位の外周５１４とが、面一または略面一となる。因みに、キャップ取付筒５１における切欠５１０よりも基端側の部位の肉厚は、容器２の基端に向かうほど薄くなる傾向にある。
【００３２】
図３ないし図５に示すように、糊押出機構６は、容器本体４の底壁４５の軸孔４５１に挿通して糊充填部４３内の糊充填空間４１に侵入したねじ棒６１と、底壁４５により隔てられた糊充填部４３の外にあるねじ棒６１の基端部に固定した手動操作用のつまみ６２と、糊充填部４３内においてねじ棒６１に螺着したエレベータ６３とを備えている。つまみ６２の外周６２１は、把持部分となる容器本体４のボディ４４の外周４４１の形状に合致した角筒状、特に四角筒状をなす。ねじ棒６１の外周には、雄ねじ６１１を切ってある。
【００３３】
エレベータ６３は、容器２の先端側に向かって開口した有底の箱形をなし、糊充填部４３内の糊充填空間４１に充填される糊３を支持する。エレベータ６３の底の中心部には、ねじ棒６１の雄ねじ６１１に螺合する雌ねじ孔６３１を設けている。エレベータ６３の外周面６３２は、糊充填部４３の内周４３１の形状に合致するような角筒状、特に四角筒状に形成している。しかして、糊充填部４３の内周面４３１と、これに当接または極近接するエレベータ６３の外周面６３２とのうち一方に、糊３及び容器２の伸長方向即ち糊３の進退方向に沿って延伸するレール４３３を突出させて設け、他方に同方向に沿って延伸しレール４３３と係合する凹溝６３３を設けている。レール４３３と凹溝６３３との凹凸係合は、エレベータ６３が容器本体４に対して相対的に軸線回りに回動することを禁じながら、エレベータ６３が容器本体４に対して相対的に軸線と平行に移動することを案内する。
【００３４】
糊３を糊導出口４２から繰り出して使用するためには、使用者が、キャップ５２を取り外して糊導出口４２を露出させる開放状態とした上で、容器本体４の外部にあるつまみ６２を軸線回りに正回転させればよい。さすれば、つまみ６２とともにねじ軸が正回転し、これに螺合しているエレベータ６３が容器本体４の糊充填部４３内で糊導出口４２に接近する先端方向に移動し、エレベータ６３に支持された糊３が糊充填空間４１から糊導出口４２を通じて押し出される。
【００３５】
使用を終えて繰り出した糊３を糊導出口４２よりも没入させるためには、使用者が、つまみ６２を軸線回りに逆回転させればよい。さすれば、ねじ軸が逆回転し、エレベータ６３が糊充填部４３内で糊導出口４２から離反する基端方向に移動し、エレベータ６３に支持された糊３が糊充填空間４１内に引き込まれる。しかる後、キャップ５２を再び装着して糊導出口４２を被覆する閉止状態とする。
【００３６】
本実施形態では、内部に糊３が充填される糊充填空間４１を有するとともに先端に前記糊３を外部に導出させるための円形状でない糊導出口４２を有した容器本体４と、この容器本体４の糊充填空間４１が外部に連通するのを気密に遮断する閉止状態及び前記糊３を外部に導出可能な開放状態の何れかを選択的にとり得る開閉機構５とを具備するスティック糊１の容器２であって、前記開閉機構５が、前記容器本体４に設けられたキャップ取付筒５１と、このキャップ取付筒５１に外側から着脱可能に嵌合するキャップ５２とを備え、キャップ取付筒５１の外側の円形状をなす嵌合部５１２にキャップ５２が嵌合するかまたはキャップ５２の内側の円形状をなす嵌合部５２３にキャップ取付筒５１が嵌合し、前記キャップ取付筒５１が、その先端部に前記容器本体４と接続される頂壁５１５を有するとともに、内周面５１７の少なくとも一部を先端とは反対側の基端方向に開放された隙間５１６を介して容器本体４に対面させたものであるスティック糊１の容器２を構成した。
【００３７】
このようなものであれば、角形状をなす糊導出口４２から角柱状をなす糊３を繰り出して、四角形の用紙の角部等に無理なく糊３を美麗に塗布することが可能となる。糊充填部４３の先端筒状部分４３２及び糊導出口４２はキャップ取付筒５１の基部及び頂壁５１５よりも先方に位置しており、その視認性が良好であり、糊３を塗布する箇所を常に確認しながら作業することができる。
【００３８】
スティック糊１の非使用時には、キャップ５２をキャップ取付筒５１の外周５１１に嵌合させて装着することで、糊充填部４３の糊充填空間４１に充填された糊３が密封されるため、乾燥その他による糊３の品質及び性能の経時変化を防止または抑制することができる。特に、キャップ取付筒５１の嵌合部５１２及びキャップ５２の嵌合部５２３をそれぞれ真円または真円に近い円形状に成形しているので、図７及び図８に示すように、キャップ５２とキャップ取付筒５１とを全周に亘って均一に密着させることが可能となり、一部に隙間が生じて気密性が損なわれる不具合を回避できる。
【００３９】
キャップ取付筒５１の内周面５１７と容器本体４の外周面４４１との間には隙間５１６を設けており、キャップ取付筒５１の厚みを周方向に沿って均一化し、嵌合部５１２を正確な真円形状とすることができる。これにより、キャップ５２を装着した閉止状態での気密性が高まる。加えて、隙間５１６を設けることで、キャップ取付筒５１が径方向に弾性変形しやすくなるため、キャップ取付筒５１の外周５１１とキャップ５２の内周５２２との嵌合の度合いを強め（きつめ）に設定しても、キャップ５２を円滑に脱着または開閉することができる。
【００４０】
本実施形態によれば、キャップ取付筒５１の基部と容器本体４とが頂壁５１５を介して接合し、キャップ取付筒５１と容器本体４との間の隙間５１６は容器２の基端方向に開放するが、先端方向には開放せず閉塞される。従って、キャップ５２をキャップ取付筒５１に外嵌した閉止状態では、容器本体４の先端筒状部分４３２及び糊導出口４２を収容しているキャップ５２の内部と当該隙間５１６とが連通せずに隔絶される。故に、閉止状態において隙間５１６内の空気が糊３に触れることがない、つまりは糊３に触れる空気の量がより減少して、乾燥、酸化等に起因する糊３の変質、例えば縮小固化を効果的に抑止できる。
【００４１】
キャップ５２はキャップ取付筒５１に対して先端側から覆い被さるが、頂壁５１５の存在により、キャップ５２が外嵌されるキャップ取付筒５１の強度が向上し、閉止状態における気密性が高まり、また不意に外力が加わったとしてもキャップ５２がキャップ取付筒５１から脱離するおそれが低減する。
【００４２】
総じて言えば、閉止状態におけるキャップ５２の気密性を維持しながらも、糊導出口４２の形状の自由度を高めることができ、糊３の乾燥その他の劣化の問題を解決しつつ、用紙の縁や角の部分への糊３の塗布の作業性を向上させることができる。
【００４３】
加えて、本実施形態では、前記キャップ取付筒５１が、前記頂壁５１５から基端方向に、前記容器本体４における前記糊３を塗布する操作を行う使用者の母指または示指の指先が触れ得る把持部分４４１の先端領域まで延出している。これにより、使用者が自然な形でキャップ取付筒５１の延出端に指を掛けて容器本体４を把持することができ、取り落としにくく使い勝手のよいスティック糊１となる。
【００４４】
また、ゴムや軟質樹脂等により成形したグリップ等の部材を容器本体４の把持部分の外周４４１に装着する場合において、容器２の基端方向に開口している隙間５１６を当該部材を係合せしめる係合部として利用することが可能である。
【００４５】
さらに、前記キャップ取付筒５１の延出端と前記把持部分４４１の先端領域とが前記隙間５１６の開口部を介して離間しているとともに、横断面視において前記把持部分４４１の外側辺４４２が前記糊導出口４２の内側辺４２１と平行または略平行となっているので、使用者が糊導出口４２から繰り出した糊３の側辺の向きを糊３を塗布する対象の用紙の縁辺の向きと平行に揃える操作が容易となる。
【００４６】
なお、本発明は以上に詳述した実施形態に限られるものではない。上記実施形態では、頂壁５１５の位置から容器２の基端に向かって延びるキャップ取付筒５１が比較的短尺なものであったが、図１０ないし図１３に示すように、キャップ取付筒５１を、その基端が容器本体４の基端近傍または糊押出機構６のつまみ６２のすぐ手前まで達するような長尺なものとすることも可能である。
【００４７】
図１０ないし図１３に示す変形例では、キャップ取付筒５１が、頂壁５１５から軸線と平行または略平行に容器本体４の基端領域まで延出している。即ち、キャップ取付筒５１が、ボディ４４の略全域を外側から囲繞している。そのため、このキャップ取付筒５１の外周５１８が、スティック糊１を使用して糊３を塗布しようとする使用者が把持することのできる把持部分として機能する。上記実施形態と異なり、本変形例では、把持部分５１８即ちキャップ取付筒５１の外周、及び糊押出機構６のつまみ６２の外周６２１が円筒状をなしている。
【００４８】
一方で、キャップ取付筒５１の内周面５１７が隙間５１６を介して容器本体４のボディ４４の外周面４４１と対面している点、キャップ取付筒５１の内周５１７がボディ４４の外周４４１の隅角部即ち四隅に内接して一体化しており隙間５１６がボディ４４の四隅により分断される点は、上記実施形態と同様である。キャップ取付筒５１の延出端とボディ４４の基端領域とは、隙間５１６の開口部を介して離間している。つまり、容器本体４における隙間５１６は、容器２の基端方向に開放している。尤も、隙間５１６の開口部は、その外周６２１がキャップ取付筒５１の外周５１８と面一または略面一となるように径方向に拡張したつまみ６２によって遮蔽されており、使用者から見て露わとならない。
【００４９】
そして、キャップ取付筒５１の基部は頂壁５１５により容器本体４の外周４４１に連接し、その頂壁５１５が隙間５１６を先端側から閉塞することから、隙間５１６は容器２の先端方向には開放していない。隙間５１６の径方向に沿った幅、換言すればキャップ取付筒５１の内周５１７とボディ４４の外周４４１との径方向に沿った離間距離は、一定または略一定である。
【００５０】
本変形例では、キャップ取付筒５１及び隙間５１６が頂壁５１５から基端方向に容器本体４の基端領域まで拡張している。即ち、キャップ取付筒５１及び隙間５１６が先端筒状部分４３２を除く容器本体４の略全長に亘って存在しているので、糊充填部４３内の糊充填空間４１に充填された糊３に対して断熱効果を得られ、糊３の温度変化に起因した経時変化を抑制することができる。しかも、一体的に延長したキャップ取付筒５１が、糊３を塗布する操作を行う使用者の母指と示指との間の指間部が触れ得るので、これを把持部分５１８として使用者がしっかりと把持することができる。
【００５１】
また、上記実施形態及び上掲の変形例では、キャップ取付筒５１及びキャップ５２の周壁５２１がそれぞれ、糊３及び容器２が伸長する方向に沿った軸線と平行または略平行に延出し、いわば真っ直ぐに伸びた円筒状となっていたが、図１４に示すように、キャップ取付筒５１を基端側から先端側に向かって外径が徐々に縮小するようなテーパ状に成形し、かつキャップ５２の周壁５２１をこれに合わせて内径が徐々に拡開するような切頭円錐状または漏斗状に成形してもよい。
【００５２】
さらに、上記実施形態及び上掲の変形例では、キャップ取付筒５１の基部が頂壁５１５の頂面よりも先方に突出していなかったが、図１５に示すように、キャップ取付筒５１を頂壁５１５から容器２の先端方向に延出させ、その先端が頂壁５１５の頂面よりも先方に突出するものとしても構わない。但し、糊導出口４２は、キャップ取付筒５１よりも先方に位置する。キャップ取付筒５１における、頂壁５１５よりも先方に突出した部位の外周５１９は、キャップ５２の周壁５２１の内周と密接する嵌合部５１２として利用することができる。例えば、キャップ取付筒５１の当該部位の外周５１９に、径方向に沿って外側方に膨出するリブ５１２を形成し、このリブを嵌合部５１２としてキャップ５２の周壁５２１の内周５２２に密着させる。あるいは、キャップ５２の周壁５２１の内周５２２に、径方向に沿って内側方に膨出するリブ５２３を形成し、そのリブを嵌合部５２３としてキャップ取付筒５１の当該部位の外周５１９に密着させることもできる。
【００５３】
糊導出口４２の形状は、円形状には限定されず、三角形状や六角形状等の多角形状とすることが許される。その場合、糊導出口４２から導出される糊３が、三角柱状や六角柱状等の多角柱状をなすこととなる。
【００５４】
その他、各部の具体的構成は、本発明の趣旨を逸脱しない範囲で種々変形が可能である。
【符号の説明】
【００５５】
１…スティック糊
２…容器
３…糊
４…容器本体
４１…糊充填空間
４２…糊導出口
４２１…内側辺
４４１…把持部分
４４２…外側辺
５…開閉機構
５１…キャップ取付筒
５１１…外周面
５１２…嵌合部
５１５…頂壁
５１６…隙間
５１７…内周面
５１８…把持部分
５１９…外周面
５２…キャップ
５２３…嵌合部
【図１】
2020059177.tif 000003
【図２】
2020059177.tif 000004
【図３】
2020059177.tif 000005
【図４】
2020059177.tif 000006
【図５】
2020059177.tif 000007
【図６】
2020059177.tif 000008
【図７】
2020059177.tif 000009
【図８】
2020059177.tif 000010
【図９】
2020059177.tif 000011
【図１０】
2020059177.tif 000012
【図１１】
2020059177.tif 000013
【図１２】
2020059177.tif 000014
【図１３】
2020059177.tif 000015
【図１４】
2020059177.tif 000016
【図１５】
2020059177.tif 000017